(57)【要約】【課題】  身近な調味料用スタンドにラジオ装置を搭載できるようにし、災害時のみならずいつでも即座にラジオの情報を得ることができるようにするとともに、ラジオ装置を操作性良く作動させることができるようにする。【解決手段】  調味料を収容する容器１１が載置されるトレイ２０と、トレイ２０に立設される支柱３０とを備え、支柱３０に、電池４６を電源としラジオ放送を受信してスピーカ３４から音声出力するラジオ装置３１を備え、ラジオ装置３１を、支柱３０の一部を構成し、支柱３０の他部に対して着脱可能なブロック体で構成し、支柱３０の他部に、電池４６を収納する電池収納部４５を設けた。【選択図】  図１
0003107626.tif 000002
【実用新案登録請求の範囲】
【請求項１】
調味料を収容する容器が載置されるトレイと、該トレイに立設される支柱とを備えた調味料用スタンドにおいて、
上記支柱に、電池を電源としラジオ放送を受信してスピーカから音声出力するラジオ装置を備えたことを特徴とする調味料用スタンド。
【請求項２】
上記ラジオ装置を、上記支柱の一部を構成し、該支柱の他部に対して着脱可能なブロック体で構成したことを特徴とする請求項１記載の調味料用スタンド。
【請求項３】
上記支柱の他部に、上記電池を収納する電池収納部を設けたことを特徴とする請求項２記載の調味料用スタンド。
【請求項４】
上記支柱の上部に、上記電池を電源として点灯する発光体を有した照明部を設けたことを特徴とする請求項１，２または３記載の調味料用スタンド。
【請求項５】
上記支柱の基端側を断面円形に形成し、
上記トレイを、上記支柱の基端が立設される板状のベース部材と、該ベース部材に載置され上記支柱の基端側が挿通される挿通孔を備え該支柱により軸支されて回転可能な盆状部材とを備えて構成したことを特徴とする請求項１，２，３または４記載の調味料用スタンド。
【請求項６】
上記支柱の上端に、カップ状の小物入れを設けたことを特徴とする請求項１，２，３，４または５記載の調味料用スタンド。
【考案の詳細な説明】
【技術分野】
【０００１】
本考案は、塩，コショウ，醤油，ソース等の調味料が収容される容器がまとめて載置され、食卓等に置かれる調味料用スタンドに関する。
【背景技術】
【０００２】
従来、この種の調味料用スタンドとしては、特許文献１（実公昭３６−１８７６７号公報）に記載のものが知られている。
【０００３】
図７に示すように、この調味料用スタンド１は、盆体２と、支柱３と、台部４とを備えている。盆体２は、台部４にスラストベアリング５を介して回転可能に支持されている。支柱３は、盆体２の中央を貫通して設けられ、台部４内に接続され、上部に把手３ａが設けられている。台部４は、その内部に音を出すオルゴール（図示せず）が設けられ、オルゴールの回転機構により、盆体２を回転させる。
この調味料用スタンド１を使用する場合には、盆体２に調味料が収容される容器を載置し、この状態で、キッチンまたは食卓に置くようにする。調味料を運ぶ場合には、この状態のまま、支柱３の把手３ａをつかんで調味料用スタンド１ごと運ぶ。そして、例えば、キッチンでの炊事作業や食卓での食事の際等に、オルゴールを作動させ、音楽の演奏とともに盆体２を回転させる。
【０００４】
【特許文献１】実公昭３６−１８７６７号公報
【考案の開示】
【考案が解決しようとする課題】
【０００５】
ところで、キッチンや食卓においては、災害等で停電が生じると、家庭用のコンセントを電源とする、例えば、テレビやパソコン等の情報を得るための機器が使用できなくなり、災害の情報が不足してしまう。この状態において、災害に被災しないように避難等の行動を迅速に行なえるようにするためにも災害についての情報を早く知りたいので、従来、例えば、携帯用のラジオ装置を使用してラジオ放送から災害についての情報を得ていた。ところが、情報機器としては、普段は、テレビやパソコンが用いられており、携帯用のラジオ装置はしまわれている場合が多く、災害時に、わざわざ携帯用のラジオ装置を探してくるのは煩雑であるという問題があった。このような問題を解決するために、キッチンや食卓に置かれる身近な上記従来の調味料用スタンド１の台部４に、オルゴールに替えてラジオ装置を搭載することが考えられるが、台部４は盆体２の下にあるので、単に搭載しただけでは、停電等で暗くなった所においては、例えば、台部４に設けたラジオ装置の操作パネル等が何処にあるのか解りにくく操作性が悪くなるという問題があった。
【０００６】
本考案は上記の問題点に鑑みて為されたもので、身近な調味料用スタンドにラジオ装置を搭載できるようにし、災害時のみならずいつでも即座にラジオの情報を得ることができるようにするとともに、ラジオ装置を操作性良く作動させることができるようにした調味料用スタンドを提供することを目的とする。
【課題を解決するための手段】
【０００７】
このような目的を達成するための本考案の調味料用スタンドは、調味料を収容する容器が載置されるトレイと、該トレイに立設される支柱とを備えた調味料用スタンドにおいて、上記支柱に、電池を電源としラジオ放送を受信してスピーカから音声出力するラジオ装置を備えて構成している。
【０００８】
この調味料用スタンドを使用する場合には、予め、調味料用スタンドのトレイに調味料の容器を載せた状態にしておく。そして、普段は、そのまま調味料用スタンドとして使用し、例えば、炊事の際には、調味料は調理に使用するので、キッチンに置くようにし、食事の際には、大抵、醤油やソース等の調味料が用いられるので、調味料が収容される各容器をトレイに載置して食卓に運んで食卓に置くようにする。この際、調味料用スタンドの支柱にラジオ装置が一体になっておりコンパクトなので、あまり設置スペースをとることがなく、キッチンや食卓の他のスペースを有効に使用することができる。
【０００９】
そして、キッチンや食卓でラジオ放送を聞きたい場合、特に、災害等で停電になりテレビやパソコン等の家庭用コンセントからの電源を使用する情報機器が使用できない場合においては、電池からの電源をラジオ装置に供給してラジオ装置を作動させ、ラジオ放送を受信してラジオ放送の音声をスピーカから出力させる。この際、調味料用スタンドは、キッチンや食卓に常時置いてあり身近なので、特に探さなくてもすぐに見つかる。そのため、災害があると、キッチンや食卓に居ながらにして即座にラジオ装置を作動させることができる。また、ラジオ装置は、電池で作動するので、停電であっても作動させることができる。これにより、災害等で停電が起こっても、災害の情報をラジオ装置からすぐに得ることができ、このラジオ装置からの情報を元に、混乱することなく安心して家で待機したり避難所に避難したりする等、速やかに行動を起こすことができる。
また、ラジオ装置は、調味料用スタンドの支柱に設けられるとともに、この支柱はトレイに立設されてある程度高さがあるので、キッチンや食卓が停電で暗くなっても、手探りで即座に支柱を見つけてラジオ装置を作動させることができ、暗い場所でのラジオ装置の操作性が良好になる。
【００１０】
次に、停電が復旧し、テレビ等の情報機器が使えるようになる等し、ラジオ放送を聞かなくてもよくなった場合には、ラジオ装置に供給される電池からの電源を遮断し、ラジオ装置を非作動にする。
また、災害の場合でなくとも、キッチンでの炊事や、食卓での食事の際にラジオ放送を聞きたい場合には、上記と同様に、電池からの電源をラジオ装置に供給してラジオ装置を作動させ、スピーカからラジオ放送の音声を出力させる。そのため、キッチンでの作業や、食卓での食事の際にもラジオ放送を聞くことができる。
【００１１】
また、必要に応じ、上記ラジオ装置を、上記支柱の一部を構成し、該支柱の他部に対して着脱可能なブロック体で構成している。
ラジオ装置がブロック体となって支柱の一部を構成しているので、容易に支柱に組み込むことができ、また、コンパクトなので、あまり設置スペースをとることがなく、キッチンや食卓の他のスペースを有効に使用することができる。
また、着脱可能なので、ラジオ装置単独を他に取り付けて用いる等の運用を図ることができ汎用性を増すことができる。
【００１２】
更に、必要に応じ、上記支柱の他部に、上記電池を収納する電池収納部を設けている。
電池収納部が支柱に一体になってコンパクトなので、例えば、キッチンや食卓に調味料用スタンドを置いてもあまり場所をとることが無く、キッチンや食卓のスペースを有効に使用することができる。
【００１３】
更にまた、必要に応じ、上記支柱の上部に、上記電池を電源として点灯する発光体を有した照明部を設けている。
この場合、停電の際には、発光体を点灯して明かりとして用いる。そのため、停電で暗くなっても、発光体を発光させて手元を明るくし、この状態でラジオ装置を操作でき、暗い場所でもラジオ装置を確実に操作することができるので、操作性が向上させられる。また、停電で暗くなっても、調味料用スタンドは身近にあるので、わざわざ懐中電燈等の照明器具を探さなくても、発光体の点灯によりキッチンや食卓をすぐに明るくすることができ、災害時に、混乱することなく安心することができる。
【００１４】
また、必要に応じ、上記支柱の基端側を断面円形に形成し、上記トレイを、上記支柱の基端が立設される板状のベース部材と、該ベース部材に載置され上記支柱の基端側が挿通される挿通孔を備え該支柱により軸支されて回転可能な盆状部材とを備えている。
更に、この場合、普段において、トレイの盆状部材に載置された容器を取る場合には、盆状部材を回転して、所望の調味料の容器を正面にして取るようにする。この場合、盆状部材が支柱に対して回転可能なので、食卓を囲む人夫々に調味料の容器を向けることができ、調味料の容器を取りやすくできる。
【００１５】
更に、必要に応じ、上記支柱の上端に、カップ状の小物入れを設けている。
小物入れはカップ状なので、液体を注ぐこともできるようになる。そのため、生花等を活けることができる。
【考案の効果】
【００１６】
本考案の調味料用スタンドによれば、支柱に、電池を電源としラジオ放送を受信してスピーカから音声出力するラジオ装置を備えたので、停電時に、身近に置かれた調味料用スタンドのラジオ装置に電池からの電源を供給して作動させ、ラジオ放送を受信してラジオ放送の音声をスピーカから出力させることができる。そのため、キッチンや食卓に居ながらにして、即座にラジオ装置を作動させることができ、ラジオ装置は、電池で作動するので、停電であっても作動させることができる。これにより、災害等で停電が起こっても、直ぐに災害の情報を得ることができ、ラジオ装置からの情報を元に、避難等を速やかに行なうことができる。また、支柱はトレイに立設されてあり目立つので、キッチンや食卓が停電で暗くなっても、即座に支柱を見つけてラジオ装置を作動させることができ、暗い場所でのラジオ装置の操作性が良好になる。
【考案を実施するための最良の形態】
【００１７】
以下、添付図面に基づいて、本考案の実施の形態に係る調味料用スタンドについて詳細に説明する。
【００１８】
図１に示すように、この調味料用スタンド１０は、塩，コショウ，醤油またはソースが入れられる容器１１を保持するものである。また、実施の形態においては、箸やスプーン等が立てられる箸立１２も保持できるようになっている。
詳しくは、調味料用スタンド１０は、図１乃至図５に示すように、調味料を収容する容器１１が載置されるトレイ２０と、トレイ２０に立設される支柱３０とを備えている。
【００１９】
トレイ２０は、支柱３０が立設される板状のベース部材２１と、ベース部材２１に載置され支柱３０の基端側が挿通される挿通孔２４を備えた円形の盆状部材２２とを備えて構成されている。
ベース部材２１は、円盤状に形成されている。盆状部材２２は、中央に挿通孔２４を備えた円形の底壁２３と、挿通孔２４縁に立設される内側壁２５と、底壁２３の外周に立設される外側壁２６とを備えてなる。内側壁２５と外側壁２６の間には、盆状部材２２の内側を仕切る複数の仕切２７が設けられている。
【００２０】
支柱３０は、断面円形に形成されるとともに、電池４６を電源としラジオ放送を受信してスピーカ３４から音声出力するラジオ装置３１を備えている。
ラジオ装置３１は、支柱３０の一部を構成しており、支柱３０の他部に対して着脱可能なブロック体で構成されている。また、ラジオ装置３１は、図４に示すように、ラジオ放送を受信して音声信号として出力するラジオ放送受信部３２と、ラジオ放送受信部３２から送信された音声信号を増幅して出力する信号増幅部３３と、信号増幅部３３で増幅された音声信号を音声出力するスピーカ３４と、電池４６からの電源の供給を入り切りするとともにスピーカ３４から出力される音声の音量を制御するスイッチ３５と、断面円形のケーシング３６とを備えた構成としている。
【００２１】
ラジオ放送受信部３２には、受信周波数を変更するための受信周波数設定手段３７が備えられている。受信周波数設定手段３７は、円盤状に形成されたつまみ３８を備えている。つまみ３８は、ケーシング３６からその円弧の一部が露出するとともに回動により、例えば、コンデンサの容量を変動させ、受信周波数を設定できるようになっている。また、ラジオ放送受信部３２は、受信周波数を視認するためのメータ３９を備えている。メータ３９は、視認可能なようにケーシング３６の表面に露出させられ、周波数に対応した目盛と、つまみ３８の回転に伴って移動し、目盛の周波数を指示する指示針４０とを備えている。
スピーカ３４は、ケーシング３６の表面に露出させられている。
【００２２】
スイッチ３５は、円盤状に形成され、ケーシング３６からその円弧の一部が露出するとともに回動によりスピーカ３４から出力される音声の音量を制御可能になっている。また、スイッチ３５は、最小音量位置から更に音量小側に回動させることで電源をオフにするとともに、電源オフの位置から音量大側に回動させることにより電源をオンにする。
ケーシング３６は、樹脂で形成され、上部と下部に雄ネジ４１，４２が形成されている。また、ケーシング３６の上面には、後述の電池収納部４５の＋端子４９及び−端子５１に夫々接触可能な＋接触板４３及び−接触板４４が設けられている。＋接触板４３は、ケーシング３６の軸を中心とする円形に形成され、スイッチ３５を介してラジオ放送受信部３２及び信号増幅部３３に接続可能になっている。また、−接触板４４は、ケーシング３６の軸を中心とし、所定半径のリング状に形成され、ラジオ放送受信部３２及び信号増幅部３３に接続されている。
【００２３】
また、支柱３０の他部は、ラジオ装置３１の上側に連設され電池４６を収納する電池収納部４５と、ラジオ装置３１の下側に連設されベース部材２１に立設される支柱３０の基端部５０とを備えて構成されている。実施の形態においては、電池４６は、例えば、市販の単２電池を１つ使用した。
電池収納部４５は、樹脂で円筒状に形成され、上端に電池４６の出し入れが可能な開口４７を備え、下端側に電池収納部４５の下部を閉塞する底壁４５ａが設けられている。また、電池収納部４５の下部には、ケーシング３６の上部の雄ネジ４１に螺合する雌ネジ４８が形成されている。底壁４５ａの外側には、電池収納部４５の軸から−接触板４４の半径分離間した位置に位置する＋端子４９と、電池収納部４５の軸を中心に位置する−端子５１とが突設されている。図２，図４及び図５に示すように、＋端子４９は、コイルスプリングで構成され、電池４６の＋極に配線されている。−端子５１は、コイルスプリングで構成され、底壁４５ａの内側に設けられた電池４６の−極に当接するコイルスプリング５２を介して電池４６の−極に配線されている。更に、電池収納部４５の上部外周には、雄ネジ５４が形成されている。
基端部５０は、樹脂により円筒状に形成され上部には、ケーシング３６の下部の雄ネジ４２に螺合する雌ネジ５３が備えられている。また、支柱３０の基端部５０は、盆状部材２２の挿通孔２４に挿通されるとともに、盆状部材２２を回転可能に軸支している。
【００２４】
また、支柱３０の他部であって、支柱３０の上部に、電池４６を電源として点灯する発光体を有した照明部５５を設けている。実施の形態においては、照明部５５は、電池収納部４５の上端に設けられ、発光体は、電球５７で構成されている。詳しくは、照明部５５は、発光体を保持するとともに電池収納部４５の開口４７に内挿されて開口４７を覆う保持部材５６を備えて構成されている。
保持部材５６は、漏斗状に形成され、その内面５６ａには、光を反射する反射膜が形成されている。保持部材５６の中央には、電球５７の口金５８が螺合する雌ネジ部５９が設けられている。また、図２及び図４に示すように、保持部材５６が電池収納部４５の開口４７に内挿されると、口金５８の先端面は、電池４６の＋極に当接させられる。更に、電球５７の口金５８の外周面は、保持部材５６及び照明スイッチ６４を介して電池４６の−極に当接するコイルスプリング５２に接続されている。照明スイッチ６４は、電池収納部４５の外周に設けられ、電池収納部４５に対して上側に移動させられるとコイルスプリング５２と口金５８の外周面とを接続し、電池収納部４５に対して下側に移動させられるとコイルスプリング５２と口金５８の外周面とを非接続にする。
【００２５】
支柱３０の上端には、カップ状の小物入れ６０が設けられている。この小物入れ６０の下部には、電池収納部４５の上部の照明部５５を覆う垂設部６１が設けられている。垂設部６１は、透明な樹脂で円筒形状に形成されている。垂設部６１の内周面の下側には、電池収納部４５の上部に設けられた雄ネジ５４に螺合する雌ネジ６２が形成されている。図中６３は、電池収納部４５の上端面に当接するストッパである。
【００２６】
図３に示すように、この調味料用スタンド１０を組み立てる際には、例えば、まず、支柱３０の基端部５０を盆状部材２２に挿通し、この盆状部材２２をベース部材２１の上に載置する。次に、ラジオ装置３１の下側の雄ネジ４２を基端部５０の雌ネジ５３にネジ込み、電池収納部４５の下側の雌ネジ４８をラジオ装置３１の上側の雄ネジ４１に螺合する。この際、電池収納部４５の雌ネジ４８の螺合に伴い、＋端子４９が＋接触板４３に接触し、−端子５１が−接触板４４に接触していく。これにより、電池収納部４５の電池４６からの電源がラジオ装置３１に供給可能になる。
次にまた、電池収納部４５の開口４７から電池４６を入れ、保持部材５６の雌ネジ部５９に電球５７の口金５８をネジ込み、保持部材５６を電池収納部４５の開口４７部に内挿するとともに電球５７の口金５８を電池４６の＋極に当接させる。そして、電池収納部４５の上部に設けた雌ネジ４８を小物入れ６０に垂設された垂設部６１の雌ネジ４８にネジ込む。
この際、ラジオ装置３１は、ブロック体で構成されているので、予め、ラジオ装置３１の支柱３０の全部にラジオ装置３１が組み込まれた場合に比較して、ラジオ装置３１を容易に支柱３０に組み込むことができる。
【００２７】
従って、この調味料用スタンド１０を使用する場合には、予め、調味料用スタンド１０の盆状部材２２に容器１１及び箸立１２を載せた状態にしておく。そして、普段は、そのまま調味料用スタンド１０として使用する。この場合、例えば、炊事の際には、調味料は調理に使用するので、調味料用スタンド１０をキッチンに置くようにし、食事の際には、大抵、醤油やソース等の調味料が用いられるので、調味料が収容される各容器１１をトレイ２０の盆状部材２２に載置するとともにこの状態で調味料用スタンド１０を食卓に運んで食卓に置くようにする。この際、調味料用スタンド１０の支柱３０の一部がラジオ装置３１になっておりコンパクトなので、あまり設置スペースをとることがなく、キッチンや食卓の他のスペースを有効に使用することができる。また、電池収納部４５も支柱３０に設けられているので、この点においても、コンパクトになり、あまり設置スペースをとることがなく、キッチンや食卓の他のスペースを有効に使用することができる。
【００２８】
更に、この際、トレイ２０の盆状部材２２に載置された容器１１を取る場合には、盆状部材２２を回転して、所望の調味料の容器１１を正面にして取るようにする。この場合、盆状部材２２が支柱３０に対して回転可能なので、食卓を囲む人夫々に調味料の容器１１や箸立１２を向けることができ、調味料の容器１１や箸を取りやすくできる。
更にまた、この際、小物入れ６０に生花を活けたり、造花を飾ったりする。この場合、小物入れ６０がカップ状なので、水を入れることもできるので生花も飾ることができる。また、この際、花を見ることで、食卓の雰囲気が向上させられ、また、気分を安らげる効果も期待できる。
【００２９】
そして、キッチンや食卓でラジオ放送を聞きたい場合、特に、災害等で停電になりテレビやパソコン等の家庭用コンセントからの電源を使用する情報機器が使用できない場合においては、スイッチ３５を回動してラジオ装置３１に電池４６からの電源を供給し、ラジオ装置３１を作動させるとともに、つまみ３８を回動してラジオ放送の周波数を所望の放送局からのラジオ放送の周波数にあわせるとともに、スイッチ３５を回動してラジオ放送の音声をスピーカ３４から適度の大きさで出力させる。
この際、調味料用スタンド１０のラジオ装置３１は、電池４６で作動するので、家庭用の電源のコンセント等に接続することなく作動させることができる。また、調味料用スタンド１０は、キッチンや食卓に常時おいてあり、身近で探さなくてもすぐに見つかる。そのため、災害があると、キッチンや食卓に居ながらにして即座にラジオ装置３１を作動させることができる。また、これにより、災害等で停電が起こっても、直ぐに災害の情報を得ることができ、このラジオ装置３１からの情報を元に、混乱することなく安心して家で待機したり避難所に避難したりする等、適切な行動を速やかに行なうことができる。また、ラジオ装置３１は、調味料用スタンド１０の支柱３０に設けられるとともに、この支柱３０はトレイ２０のベース部材２１に立設されてあり目立つので、キッチンや食卓が停電で暗くなっても、即座に支柱３０を見つけてラジオ装置３１を作動させることができ、暗い場所でのラジオ装置３１の操作性が良好になる。
【００３０】
また、更に、停電の際には、照明スイッチ６４を上側に移動して、照明部５５の電球５７に電池４６の電源を供給し、電球５７を点灯させる。そして、この状態でラジオ装置３１を操作する。この場合、停電で暗くなっていても、照明部５５の明かりで手元を明るくしてラジオ装置３１を確実に操作できるので、ラジオ装置３１の操作性が向上させられる。また、停電で暗くなっても、調味料用スタンド１０は身近にあるので、わざわざ懐中電燈等の照明器具を探さなくても、照明部５５の電球５７の点灯によりキッチンや食卓をすぐに明るくすることができ、災害時に、混乱することなく安心することができる。
次に、停電が復旧し、テレビ等の情報機器が使えるようになる等し、調味料用スタンド１０からラジオ放送を聞かなくてもよくなった場合には、スイッチ３５を回動し、ラジオ装置３１に供給される電池４６からの電源を遮断し、ラジオ装置３１を非作動にする。
【００３１】
また、災害の場合でなくとも、キッチンでの炊事や、食卓での食事の際にラジオ放送を聞きたい場合には、上記と同様に、電池４６からの電源をラジオ装置３１に供給してラジオ装置３１を作動させ、スピーカ３４からラジオ放送の音声を出力させる。そのため、キッチンでの作業や、食卓での食事の際にもラジオ放送を聞くことができる。
【００３２】
更に、ラジオ装置３１は着脱自在なブロック体なので、例えば、傘の柄等に上記と同様の電池収納部を設けこの電池収納部の雌ネジに、ラジオ装置３１の雄ネジ４１をネジ込んで装着すれば、他の物品にも使用することができ、汎用性を増すことができる。
【００３３】
また、図６には、別の実施の形態に係る調味料用スタンド１０を示している。この調味料用スタンド１０は、ベース部材２１の中央に雄ネジ６５が設けられている。また、ラジオ装置３１と支柱３０の基端部５０が一体になっており、基端部５０の下部には、ベース部材２１の雄ネジ６５に螺合する雌ネジ６６が設けられている。他の構成は上記のものと同様である。
この調味料用スタンド１０を組み立てる際には、盆状部材２２の挿通孔２４に支柱３０の基端部５０を挿通し、基端部５０の雌ネジ６６をベース部材２１の雄ネジ６５に螺合する。そして、上記と同様にして組み立てる。
この調味料用スタンド１０の作用，効果は、上記のものと同様である。
【００３４】
尚、本考案の実施の形態においては、電池収納部４５をラジオ装置３１と別体にしたがこれに限定されるものでなく、電池収納部をラジオ装置に内蔵しても良く、適宜変更して差し支えない。
【図面の簡単な説明】
【００３５】
【図１】本考案の実施の形態に係る調味料用スタンドを示す斜視図である。
【図２】本考案の実施の形態に係る調味料用スタンドを示す半断面図である。
【図３】本考案の実施の形態に係る調味料用スタンドを示す上から見た分解斜視図である。
【図４】本考案の実施の形態に係る調味料用スタンドの配線を示す図である。
【図５】本考案の実施の形態に係る調味料用スタンドの要部を示す下から見た分解斜視図である。
【図６】本考案の別の実施の形態に係る調味料用スタンドの要部を示す分解斜視図である。
【図７】従来の調味料用スタンドを示す図である。
【符号の説明】
【００３６】
１０  調味料用スタンド
１１  容器
１２  箸立
２０  トレイ
２１  ベース部材
２２  盆状部材
２３  盆状部材の底壁
２４  挿通孔
２５  内側壁
２６  外側壁
２７  仕切
３０  支柱
３１  ラジオ装置
３２  ラジオ放送受信部
３３  信号増幅部
３４  スピーカ
３５  スイッチ
３６  ケーシング
３７  受信周波数設定手段
３８  つまみ
３９  メータ
４０  指示針
４１，４２  雄ネジ
４３  ＋接触板
４４  −接触板
４５  電池収納部
４５ａ  電池収納部の底壁
４６  電池
４７  開口
４８  雌ネジ
４９  ＋端子
５０  基端部
５１  −端子
５２  コイルスプリング
５３  雌ネジ
５４  雄ネジ
５５  照明部
５６  保持部材
５６ａ  内面
５７  電球
５８  口金
５９  雌ネジ部
６０  小物入れ
６１  垂設部
６２  雌ネジ
６３  ストッパ
６４  照明スイッチ
６５  雄ネジ
６６  雌ネジ
【図１】
0003107626.tif 000003
【図２】
0003107626.tif 000004
【図３】
0003107626.tif 000005
【図４】
0003107626.tif 000006
【図５】
0003107626.tif 000007
【図６】
0003107626.tif 000008
【図７】
0003107626.tif 000009